(57)【要約】【課題】       本発明の目的は、光学用部品の収容容器のジグを提供することである。【解決手段】       上記の目的を達成するために、収容容器に収められた複数の光学用部品をいちどきに、収容容器の第一の樹脂フィルムから押し上げて外すことが出来るように、先の収容容器のそれぞれの格子状の孔に相対する突起が、収容容器のジグの板状の台に埋設されていることを特徴とし、また、先の収容容器のそれぞれの格子状の孔に相対する突起が、収容容器のジグの板状の台から外せることを特徴として目的を達成するものである。【選択図】  図１
2005212825.tif 000002
【特許請求の範囲】
【請求項１】
第一の樹脂フィルムの上に樹脂から成る格子状の孔を有する板を載置し、光学用部品を該格子状の板のそれぞれの孔のなかに載置し、その上から該格子状の板を覆うように第二の樹脂フィルムをのせて該光学用部品を該格子状の板のそれぞれの孔のなかに収容し、かつ樹脂から成る格子状の孔を有する板に設けられた吸引孔より該格子状の板のそれぞれの孔内部空気を吸引して真空として収容する該第一の樹脂フィルムと該第二の樹脂フィルムの少なくとも一方の該光学用部品のある側の面の樹脂フィルム表面が、弱粘着性のフィルムが用いられた光学用部品の収容容器用のジグにおいて、
該収容容器に収められた複数の光学用部品をいちどきに該第一の樹脂フィルムから押し上げて外せるように、該収容容器のそれぞれの格子状の孔に相対する突起が板状の台に埋設されることを特徴とする光学用部品の収容容器用のジグ。
【請求項２】
請求項１に記載の該収容容器のそれぞれの格子状の孔に相対する突起が、該板状の台から外せることを特徴とする光学用部品の収容容器用のジグ。
【発明の詳細な説明】
【技術分野】
【０００１】
光学用部品を工程内で移動するときや客先への出荷時に、例えば水晶や圧電結晶材料などの高屈折率材料から成る光学用部品が破損しないように、安全にかつ確実に搬送することができる光学用部品の収容容器のジグに関する。
【背景技術】
【０００２】
主に圧電結晶材料などから成る光学用部品は、主に映像機器の映像取り入れ部にあたるレンズを通して映像として入力された光を分離するために用いられる、高屈折率を持ち、また単結晶のために焦電性があり静電気を帯電し易い複屈折板や光学フィルターやガラスのような基材が透明の薄板である。このような光学用部品は、映像機器に入力する光線を分離する役目といった重要な機能を持っているために、その製造工程における光学用部品の加工精度は大変厳しいものであり、構造的にも複数枚の薄板を張り合わせたひとつの光学フィルターである光学用部品を構成する製造工程においても、非常に精密で細緻なその光学用部品の主面の表面処理が行われているのが実際である。
【０００３】
従って、製造工程における光学用部品は非常に慎重にかつ丁寧に取り扱われなければならず、また、製造工程には光学用部品である光学用フィルターとしてのその機能を最大限に発揮させるために、光学用フィルターの光を通過させる光学用部品の主面に反射防止等の効果をもたせた表面処理加工を行うなど、化学薬品を使用した真空蒸着やスパッタリングによる表面コーティングが行われる場合もある。
【０００４】
上述のような種々の製造工程を通過して光学用部品の製造が行われることから、従来は工程間を移動するときの光学用部品の収容容器を用いた保持収納方法は光学用部品を個々に窪みに挿入する形状をとっており、材質的にもその収容容器の材質は光学用部品にくらべて柔く、また非常に簡易な構造となっていた。また、光学用部品の収容容器のコストを抑えるために、例えば工程内での光学用部品の搬送と製品の出荷時において同一の収容容器を使用することが望ましいことや、光学用部品の寸法もその使用目的や用途により多種多様化する傾向があることから、光学用部品を安全にかつ確実にその汚染から保護して輸送するためには、より取り扱いが容易で、汚染防止の効果が高く、収容容器自体からの発塵のない光学用部品の収容容器が必要とされていた。
【０００５】
そこで、図５、及び図６にあるような光学用部品の収容容器で、第一の樹脂フィルムの上に樹脂から成る格子状の孔を有する板を載置し、光学用部品を格子状の板のそれぞれの孔のなかに載置し、その上から先の格子状の板を覆うように第二の樹脂フィルムをのせて光学用部品を格子状の板のそれぞれの孔のなかに収容し、かつ樹脂から成る格子状の孔を有する板に設けられた吸引孔より格子状の板のそれぞれの孔の内部空気を吸引して真空とし、かつ該第一の樹脂フィルムと該第二の樹脂フィルムの少なくとも一方の該光学用部品のある側の面の樹脂フィルム表面が弱粘着性のフィルムが用いられた光学用部品の収容容器が考えられた。
【０００６】
【特許文献１】特開２００１−１５８４９４号公報
【特許文献２】特開２００２−３７０７８０号公報
【特許文献３】特開２０００−２９６８９４号公報
【０００７】
なお、出願人は前記した先行技術文献情報で特定される先行技術文献以外には、本発明に関連する先行技術文献を、本件出願時までに発見するに至らなかった。
【発明の開示】
【発明が解決しようとする課題】
【０００８】
しかしながら、図５、及び図６に示されるような光学用部品の収容容器を用いて、その内部に収容された光学用部品の搬送や保管を終えて各々の光学用部品を使用する際に、先の収容容器から各々の光学用部品をひとつずつ弱粘着性フィルムから外して、取り出すには手間が掛かるおそれがあるという問題があった。
【０００９】
また、先の光学用部品の収容容器を用いて、その内部に収容された光学用部品の搬送や保管を終えて各々の光学用部品を使用する際に、弱粘着性フィルムから外して取り外す場合、薄い板状の光学用部品に欠けや割れを発生させたりするおそれがあるといった問題があった。
【００１０】
本発明は、以上のような技術的背景のもとでなされたものであり、従ってその目的は光学用部品の収容容器のジグを提供することである。
【課題を解決するための手段】
【００１１】
上述する課題を解決するために本発明は、第一の樹脂フィルムの上に樹脂から成る格子状の孔を有する板を載置し、光学用部品を先の格子状の板のそれぞれの孔のなかに載置し、その上から格子状の板を覆うように第二の樹脂フィルムをのせて光学用部品を格子状の板のそれぞれの孔のなかに収容し、かつ樹脂から成る格子状の孔を有する板に設けられた吸引孔より格子状の板のそれぞれの孔内部空気を吸引して真空として収容する先の第一の樹脂フィルムと第二の樹脂フィルムの少なくとも一方の光学用部品の在る側の面の樹脂フィルム表面が、弱粘着性のフィルムが用いられた光学用部品の収容容器用のジグにおいて、収容容器に収められた複数の光学用部品をいちどきに第一の樹脂フィルムから押し上げて外せるように、収容容器のそれぞれの格子状の孔に相対する突起が板状の台に埋設されることを特徴とする
【００１２】
また、先の収容容器のそれぞれの格子状の孔に相対する突起が、板状の台から外せることを特徴とする。
【発明の効果】
【００１３】
本発明の収容容器のジグにより、作業者がだれでも簡単かつ安全に収容された光学用部品を先の収容容器から取り出すことが出来る。
【００１４】
また、本発明の収容容器のジグにより、収容された光学用部品を先の収容容器から簡単に取り出すことができるため、コストを抑えることが出来る。
【００１５】
また、光学用部品の切断面からの発塵も低減出来ることにより、光学用部品の発塵による汚染を防止し、その結果光学用部品の製品の品質向上とその歩留まりの向上が実現出来る。
【発明を実施するための最良の形態】
【００１６】
以下、添付図面に従ってこの発明の実施例を説明する。なお、各図において同一の符号は同様の対象を示すものとする。
【実施例１】
【００１７】
図１は本発明の光学用部品４の収容容器１０のジグ７を上面からみた概略の上面模式図である。ジグ７の板状の台９に埋設されているそれぞれの突起８は容易に取り外しが可能となっている。突起８の取り外しが可能なため収容容器１０に収容された光学用部品４を取り扱う者は、適宜突起８を着脱して、その取り扱う者の作業に便利なようにジグ７の突起８の分布の状態を変えることが出来る。なお、ジグ７の板状の台９は発塵の少ない樹脂などから出来ている。また、突起８も同じく発塵の少ない樹脂や金属で出来ている。
【００１８】
図２は本発明の光学用部品４の収容容器１０のジグ７を斜め上方からみた概略の上面斜視図である。収容容器１０の格子状の孔２に収容された光学用部品４を取り扱う者は、光学用部品４が収容された収容容器１０を次に示す図３のように本発明のジグ７の上において、第一の樹脂フィルム１上に載置された光学用部品４をそのフィルム越しに上方に押し上げて、第二の樹脂フィルム５を剥がして光学用部品４を効率良く取り出すことが出来る。
【００１９】
図３は本発明の光学用部品４の収容容器１０のジグ７を用いて収容容器１０の格子状の孔２に収められた光学用部品４をフィルム越しにジグ７の突起８で押し複数の光学用部品４をいちどきに弱粘着性フィルムから外す様子を示す側面方向からみた概略の模式図である。
【００２０】
図４は本発明の光学用部品４の収容容器１０のジグ７を用いて収容容器１０に収められた光学用部品４をフィルム越しにジグ７の突起８で押し上げて複数の光学用部品４をいちどきに弱粘着性フィルムから外し、加えて収容容器１０の上面側のフィルムを剥がして光学用部品４を取り出す様子を示す側面方向からみた概略の模式図である。突起８の先端は丸くなっており、収容容器１０のフィルムや光学用部品４を傷付けることは無い。
【００２１】
図５は光学用部品４が収容された、収容容器１０の概略の上面模式図である。
【００２２】
図６は光学用部品４が収容された、収容容器１０を斜め上方からみた概略の上面斜視図である。
【図面の簡単な説明】
【００２３】
【図１】本発明の光学用部品の収容容器のジグを上面からみた概略の上面模式図である。板状の台に載置されているそれぞれの突起は取り外しが可能である。
【図２】本発明の光学用部品の収容容器のジグを斜め上方からみた概略の上面斜視図である。
【図３】本発明の光学用部品の収容容器のジグを用いて収容容器に収められた光学用部品をフィルム越しにジグの突起で押し複数の収容容器をいちどきに弱粘着性フィルムから外す様子を示す側面方向からみた概略の模式図である。
【図４】本発明の本発明の光学用部品の収容容器のジグを用いて収容容器に収められた光学用部品をフィルム越しにジグの突起で押し上げて複数の光学用部品をいちどきに弱粘着性フィルムから外し、加えて収容容器の上面側のフィルムを剥がし光学用部品を取り出す様子を示す側面方向からみた概略の模式図である。
【図５】光学用部品が収容された、収容容器の概略の上面模式図である。
【図６】光学用部品が収容された、収容容器を斜め上方からみた概略の上面斜視図である。
【符号の説明】
【００２４】
１  第一の樹脂フィルム
２  格子状の孔
３  板
４  光学用部品
５  第二の樹脂フィルム
６  吸引孔
７  光学用部品の収容容器用のジグ
８  突起
９  板状の台
１０  光学用部品の収容容器
【図１】
2005212825.tif 000003
【図２】
2005212825.tif 000004
【図３】
2005212825.tif 000005
【図４】
2005212825.tif 000006
【図５】
2005212825.tif 000007
【図６】
2005212825.tif 000008